(57)【要約】【目的】被検者本人の確認精度をより向上させることができる眼科撮影装置を提供すること。【構成】被検眼を撮影する眼科撮影装置において、観察手段と、観察動画像格納手段と、被検者像撮影手段と、被検者像格納手段と、光学系変倍手段と、眼底像撮影手段と、被検眼の眼底像を記憶素子に格納する眼底像格納手段と、前記被検者の被検者像情報を含むＩＤ情報を格納した記録媒体等からＩＤ情報を入出力するＩＤ情報入出力手段と、前記前眼部又は前記被検者像の観察動画像及び前記眼底像格納手段に格納された前記被検者像並びに眼底像を表示する表示手段と、前記被検者像撮影手段、前記眼底像撮影手段及び前記ＩＤ情報入出力手段を制御する撮影制御手段とを備え、被検眼の撮影後、前記ＩＤ情報入出力手段を介して、前記記録媒体へ該記憶素子に格納された眼底像を記録すると共に、前記被検者像を記録する。【選択図】      図１
2005013473.tif 000002
【特許請求の範囲】
【請求項１】
被検眼を撮影する眼科撮影装置において、
被検眼の前眼部又は被検者像を観察する光学系経路を備えた観察手段と、前記被検眼の前眼部又は被検者像観察動画像を記憶素子に格納する観察動画像格納手段と、前記被検者像を撮影する被検者像撮影手段と、前記被検者像を記憶素子に格納する被検者像格納手段と、前記被検眼の眼底部を観察・撮影するために前記撮影手段の光学系経路を変倍する光学系変倍手段と、前記被検眼の眼底部を撮影する眼底像撮影手段と、前記被検眼の眼底像を記憶素子に格納する眼底像格納手段と、前記被検者の被検者像情報を含むＩＤ情報を格納した記録媒体等からＩＤ情報を入出力するＩＤ情報入出力手段と、前記前眼部又は前記被検者像の観察動画像及び前記眼底像格納手段に格納された前記被検者像並びに眼底像を表示する表示手段と、前記被検者像撮影手段、前記眼底像撮影手段及び前記ＩＤ情報入出力手段を制御する撮影制御手段とを備え、被検眼の撮影後、前記ＩＤ情報入出力手段を介して、前記記録媒体へ該記憶素子に格納された眼底像を記録すると共に、前記被検者像を記録することを特徴とする眼科撮影装置。
【請求項２】
前記ＩＤ情報入出力手段が、被検眼の撮影に先立ち、前記記録媒体から読み出した被検者ＩＤ情報の中から被検者像情報を抽出し、前記表示手段が前記被検者像情報を表示すると共に、検者に対して被検者本人の確認を促す表示を行うことを特徴とする請求項１記載の眼科撮影装置。
【請求項３】
前記ＩＤ情報入出力手段が、被検眼の撮影に先立ち、前記記録媒体から読み出した被検者ＩＤ情報の中から被検者像情報を抽出できなかった際に、前記被検者像撮影手段により被検者像を撮影し、前記被検者像格納手段に格納された被検者像情報を被検者ＩＤ情報として追加するために規定の形式に変換し、該変換された被検者像情報を眼底像と共に前記記録媒体へ記録することを特徴とする請求項１又は２記載の眼科撮影装置。
【請求項４】
前記ＩＤ情報入出力手段が、被検者像の撮影に先立ち、検者ＩＤ情報の入力と認証を要求するもので、撮影した被検者像に加えて検者ＩＤ情報を、撮影した眼底像と共に前記記録媒体に記録することを特徴とする請求項１〜３の何れかに記載の眼科撮影装置。
【請求項５】
前記ＩＤ情報入出力手段が、被検眼の撮影に先立ち、検者ＩＤ情報の入力と認証を要求するもので、被検者ＩＤ情報が格納されている前記記録媒体に被検者像情報が存在していても、前記被検者像撮影手段により被検者像を撮影し、前記被検者像格納手段に格納された被検者像を被検者ＩＤ情報として追加するために規定の形式に変換し、該変換された被検者像情報と該撮影した被検者像に加えて、検者ＩＤ情報を眼底像と共に前記記録媒体へ上書き記録することを特徴とする請求項１〜４の何れかに記載の眼科撮影装置。
【請求項６】
前記表示手段が、前記被検者像格納手段に格納された被検者像データを表示する際に、検者の操作又は自動的に、該被検者像データの領域抽出、拡大、縮小、エッジ強調等の画像処理を行う被検者像処理手段を備え、前記前眼部観察像、前記眼底像又は各種情報の表示に対して適宜重ね合わせ表示を行うことを特徴とする請求項１〜５の何れかに記載の眼科撮影装置。
【請求項７】
前記被検者像格納手段に格納された被検者像情報が、前記眼底像格納手段に格納された眼底像情報に比べて小容量となる情報構造を有し、該被検者像情報について眼底像処理手段と異なる画像処理を行う被検者像処理手段を備えることを特徴とする請求項１〜６の何れかに記載の眼科撮影装置。
【請求項８】
前記ＩＤ情報入出力手段が、前記記録装置を含む複数の外部コンピュータ機器等と接続され、被検者像情報の検索、照会、入出力を特定の通信プロトコルに従って行うことを特徴とする請求項１〜７の何れかに記載の眼科撮影装置。
【請求項９】
前記ＩＤ情報入出力手段が、眼底像の撮影に先立ち、検者に対して撮影者パスワードを要求及び認証するものであって、被検者像の撮影に先立っては、該撮影者パスワードと異なるパスワードを要求及び認証することを特徴とする請求項１〜８の何れかに記載の眼科撮影装置。
【発明の詳細な説明】
【０００１】
【発明の属する技術分野】
本発明は、眼科病院等で使用される眼底カメラやホトスリットランプ等の眼科機器、並びに該眼科機器から得られる眼底画像等の画像情報を処理する眼科撮影装置に関するものである。
【０００２】
【従来の技術】
従来から、被検眼を撮影する眼科撮影装置では、撮影した眼底画像を３５ｍｍフィルムやインスタントフィルム等に記録する方式が一般に行われているが、近年のデジタル画像機器の技術進歩に伴い、眼科撮影装置の撮像面にＣＣＤ等の電子撮像素子を用いてデジタル画像を生成し、ホストコンピュータによる画像処理及び管理を行う方式に移行しつつある。このような所謂デジタル撮影方式では、撮影直後に撮影像を確認でき、画像の加工処理が容易で、且つ、長期管理による画質の劣化が無い等の利点を有している。例えば、特許文献１による開示では、静止画撮影用に動画用テレビカメラを使用した例が紹介されている。
【０００３】
特に、被検眼の眼底部を撮影する眼底カメラにおいては、デジタル画像として得られた眼底像情報に被検者ＩＤ情報を添付することで、被検者と眼底像との対応が明示されることが求められている。又、眼底像情報に被検者ＩＤ情報の他、検者ＩＤ情報、撮影日時情報、撮影機器ＩＤ情報等を付与することで、撮影像の信頼性・信憑性を向上させる方法等が提案されている。
【０００４】
【特許文献１】
特開平１−３０５９２３号公報
【発明が解決しようとする課題】
しかしながら、従来例による装置では、例えば、集団検診におけるデジタル眼底カメラの運用では、多数の被検者の眼底像を短期間に連続して収集する撮影条件下で、被検者と眼底像との照合は集団検診毎に付与された被検者ＩＤによってのみなされているのが現状であり、被検者への検診表の配布ミスや撮影直前に被検者が入れ替わってしまう等の手違いが生じ易く、被検者と眼底像との対応には細心の注意が必要であった。又、万一、被検者と眼底像との非対応が発生した際に、これを迅速に解決することは困難であった。
【０００５】
又、近年導入が進められている所謂電子カルテについては、本人確認の手段として患者像情報の添付が必要になることは明らかであるものの、患者像を何時、何処で撮影するのが適切であるのか、或は誰がどのような権限で撮影するのが適切であるか等について議論がなされている。
【０００６】
本発明の目的は、上述した課題の解決であって、眼底カメラをはじめとする医用撮影機器上で、デジタル機器でＩＤ管理された被検者像と被検者本人とを比較することで被検者本人の確認精度をより向上させることにある。又、同眼底カメラをはじめとする医用撮影機器を患者像或は被検者像の撮影に転用可能とすることで、該ＩＤ管理に被検者像を積極的に利用できる機会を増やすことにある。更に、撮影日時、撮影者情報、撮影機器情報等の詳細な撮影条件を被検者像データに追加し、一元管理することで、被検者像情報自身の精度が向上することから、被検者誤認或は誤診防止、不正防止等に役立てることにある。言い換えれば、より精度の高い医療環境を提案することができる眼科撮影装置を提供することにある。
【０００７】
【課題を解決するための手段】
上記課題を解決するため本発明の眼科撮影装置は、以下の構成から成る。
【０００８】
即ち、被検眼を撮影する眼科撮影装置において、被検眼の前眼部又は被検者像を観察する光学系経路を備えた観察手段と、前記被検眼の前眼部又は被検者像観察動画像を記憶素子に格納する観察動画像格納手段と、前記被検者像を撮影する被検者像撮影手段と、前記被検者像を記憶素子に格納する被検者像格納手段と、前記被検眼の眼底部を観察・撮影するために前記撮影手段の光学系経路を変倍する光学系変倍手段と、前記被検眼の眼底部を撮影する眼底像撮影手段と、前記被検眼の眼底像を記憶素子に格納する眼底像格納手段と、前記被検者の被検者像情報を含むＩＤ情報を格納した記録媒体等からＩＤ情報を入出力するＩＤ情報入出力手段と、前記前眼部又は前記被検者像の観察動画像及び前記眼底像格納手段に格納された前記被検者像並びに眼底像を表示する表示手段と、前記被検者像撮影手段、前記眼底像撮影手段及び前記ＩＤ情報入出力手段を制御する撮影制御手段とを備え、被検眼の撮影後、前記ＩＤ情報入出力手段を介して前記記録媒体へ該記憶素子に格納された眼底像を記録すると共に、前記被検者像を記録することを特徴とする。
【０００９】
又、前記ＩＤ情報入出力手段が、被検眼の撮影に先立ち、前記記録媒体から読み出した被検者ＩＤ情報の中から被検者像情報を抽出し、前記表示手段が前記被検者像情報を表示すると共に、検者に対して被検者本人の確認を促す表示を行うことを特徴とする。
【００１０】
更に、前記ＩＤ情報入出力手段が、被検眼の撮影に先立ち、前記記録媒体から読み出した被検者ＩＤ情報の中から被検者像情報を抽出できなかった際に、前記被検者像撮影手段により被検者像を撮影し、前記被検者像格納手段に格納された被検者像情報を被検者ＩＤ情報として追加するために規定の形式に変換し、該変換された被検者像情報を眼底像と共に前記記録媒体へ記録することを特徴とする。
【００１１】
又、前記ＩＤ情報入出力手段が、被検者像の撮影に先立ち、検者ＩＤ情報の入力と認証を要求するもので、撮影した被検者像に加えて検者ＩＤ情報を、撮影した眼底像と共に前記記録媒体に記録することを特徴とする。
【００１２】
更に、前記ＩＤ情報入出力手段が、被検眼の撮影に先立ち、検者ＩＤ情報の入力と認証を要求するもので、被検者ＩＤ情報が格納されている前記記録媒体に被検者像情報が存在していても、前記被検者像撮影手段により被検者像を撮影し、前記被検者像格納手段に格納された被検者像を被検者ＩＤ情報として追加するために規定の形式に変換し、該変換された被検者像情報と該撮影した被検者像に加えて、検者ＩＤ情報を眼底像と共に前記記録媒体へ上書き記録することを特徴とする。
【００１３】
又、前記表示手段が、前記被検者像格納手段に格納された被検者像データを表示する際に、検者の操作又は自動的に、該被検者像データの領域抽出、拡大、縮小、エッジ強調等の画像処理を行う被検者像処理手段を備え、更に、前記前眼部観察像、前記眼底像又は各種情報の表示に対して適宜重ね合わせ表示を行うことを特徴とする。
【００１４】
更に、前記被検者像格納手段に格納された被検者像情報が、前記眼底像格納手段に格納された眼底像情報に比べて小容量となる情報構造を有し、該被検者像情報について眼底像処理手段と異なる画像処理を行う被検者像処理手段を備えることを特徴とする。
【００１５】
又、前記ＩＤ情報入出力手段が、前記記録装置を含む複数の外部コンピュータ機器等と接続され、被検者像情報の検索、照会、入出力を特定の通信プロトコルに従って行うことを特徴とする。
【００１６】
更に、前記ＩＤ情報入出力手段が、眼底像の撮影に先立ち、検者に対して撮影者パスワードを要求及び認証するものであって、被検者像の撮影に先立っては、撮影者パスワードと異なるパスワードを要求及び認証することを特徴とする。
【００１７】
【発明の実施の形態】
以下に本発明の実施の形態を添付図面に基づいて説明する。
【００１８】
＜実施の形態１＞
図１は眼底カメラ１００の構成図である。
【００１９】
図１において、被検眼１０１からハロゲンランプ等の観察用光源１０２に向かう光路Ａには対物レンズ１０３、前眼／眼底切り替えレンズユニット１０４、中心開口を有する孔あきミラー１０５、角膜バッフル１０６、リレーレンズ１０７、水晶体バッフル１０８、紫外線フィルター１０９、円環状開口部を有するリングスリット１１０、小瞳孔径に対応するためのリングスリット１１１、第１コンデンサーレンズ１１２、ストロボ発光するキセノンランプ等の撮影用光源１１３、第２コンデンサーレンズ１１４、赤外光を透過する赤外フィルター１１５、照明用光源１０２の背面には凹面反射鏡１１６が順次に配列されている。孔あきミラー１０５の背後の光路Ｂ上には、フォーカスレンズ１１７、撮影レンズ１１８、そして撮像素子１１９ａを有する撮像装置１１９が配置されている。
【００２０】
撮像装置１１９には、観察中の前眼部又は被検者像画像データを順次格納する動画像メモリ装置１２０、撮影した眼底静止画像、或は外部機器１２６から入力された眼底静止画像を格納する眼底像メモリ装置１２１、撮影した被検者静止画像、或は外部機器１２６から入力された被検者静止画像を格納する被検者像メモリ装置１２２が接続される。動画像メモリ装置１２０、眼底像メモリ装置１２１及び被検者像メモリ装置１２２の画像データは、映像信号切り替え装置１２３により適宜切り替え、或は重ね合わせ等の処理が加えられて表示装置１２４へ表示される。
【００２１】
又、外部機器入出力制御装置１２５により、光ディスク、磁気カード等の記録装置、プリンタ等の印刷装置、外部ＣＲＴ等の表示装置、ＬＡＮ等の通信装置、更にはキーボード、マウス等の入力装置等の外部機器１２６との間で各種情報の入出力が可能となっている。撮影制御装置１２７は、これら画像処理制御と共に、観察用光源１０２の調光制御１２７ａ、全眼／眼底切り替えレンズユニット１０４制御１２７ｂ、撮影用光源１１３の発光制御１２７ｃを行う他、接続された操作桿１２８の撮影釦１２８ａが押されると、撮像装置１１９による撮影動作の制御（１２７ｄ）を行う。
【００２２】
図２は本発明に係る装置が行う動作全体の流れ図である。
【００２３】
本実施の形態に係る眼底カメラでは、検者のＩＤ入力及びパスワード入力による本人確認がなされた上で、被検者ＩＤ情報の確認、前眼部観察、眼底部の撮影、撮影データの記録が行われる。
【００２４】
図３は本実施の形態の動作全体の流れ図であり、図２における被検者ＩＤ情報確認動作の詳細を示した流れ図である。
【００２５】
撮影制御装置１２７は、先ず、外部機器入出力制御装置１２５を介してキーボード、磁気カード等の外部機器１２６からの被検者ＩＤ入力を要求する。そして、被検者ＩＤが入力されると、該被検者ＩＤに対応する該被検者像データの有無を磁気カード、磁気ディスク、ホストコンピュータ等の外部機器１２６に対して照会する。
（１）被検者像データがある場合：
外部機器１２６に照会した結果、該当する被検者像データがある場合、撮影制御装置１２７は、該被検者像データを適切な形式に変換して被検者像メモリ装置１２２に格納し、表示装置１２４に表示する。従って、図４に示すように、検者（４０１）は表示装置１２４に表示された被検者（４０２）の年齢、性別等のＩＤ情報（４０３）と共に、該被検者像データの表示（４０４）と実際の被検者（４０２）を比較し、確認釦（４０５）による本人確認を行った上で、前眼部観察動作へ移行する。
（２）被検者像データが無い場合：
本実施例による装置では、外部機器１２６に照会した結果、該当する被検者像データが無い場合、或は検者の判断で、被検者像を撮影することで、被検者像データを作成することができる。但し、新規、或は更新される被検者像の信憑性を確保するために、撮影者（或は検者）のＩＤ、パスワードが要求される。更に、必要であれば該ＩＤ、パスワードの認証が行われる。
【００２６】
被検者の撮影は、前眼／眼底切り替えレンズユニット１０４が『前眼』を選択することで行う。被検者像は対物レンズ１０３、全眼／眼底切り替えレンズユニット１０４、孔あきミラー１０５の孔部、フォーカスレンズ１１７及び撮像レンズ１１８を通って撮像素子１１９ａに至る。撮像装置１１９では、撮像素子１１９ａで捉えた被検者像を光電変換する。
【００２７】
光電変換された、連続した静止画像フレームで構成されたデジタル動画像データは、１／６０秒で更新される静止画像フレーム毎に動画像メモリ１２０へ格納され、動画像メモリ１２０へ格納された被検者観察像は、逐次、表示装置１２４に表示される。検者は、表示装置１２４を見ながら操作桿１２８を操作してフレームを調整し、撮影釦１２８ａを押すことで被検者像を撮影し、撮影した被検者像は被検者像メモリ装置１２２へ格納される。
【００２８】
又、本実施の形態に係る装置では、撮影した被検者像を編集することができる。図５は撮影した被検者像の編集の様子を示す図である。
【００２９】
被検者像メモリ装置１２２に格納された被検者像は、表示装置１２４上に編集画面として表示される（５０１）。該編集画面では、被検者像の拡大・縮小（５０２）、被検者像領域抽出（５０３）等の画像処理を行い、確認釦（５０４）を選択すると編集は終了する。
【００３０】
図６に被検者像メモリ装置１２２の概略構造を示す。
【００３１】
編集が終了すると、編集された被検者像データ（６０１）は、被検者のＩＤ情報（６０２）の他、撮影者である検者のＩＤ情報（６０３）、撮影日時（６０４）、撮影した装置ＩＤ（６０５）を付与して被検者像メモリ装置１２２に格納される。
【００３２】
図７は本実施の形態の動作全体の流れ図であり、図２における前眼部観察動作の詳細を示した流れ図である。尚、前眼部の観察は、前眼／眼底切り替えレンズユニット１０４が『前眼』を選択することで行う。
【００３３】
観察用光源１０２からの観察像光束は、赤外フィルター１１５にて赤外光のみが透過され、リングスリット１１０，１１１にて円環状光束となり、孔あきミラー１０５で反射され、全眼／眼底切り替えレンズユニット１０４、対物レンズ１０３を通り、被検眼１０１の眼底を照明する。眼底からの反射像は対物レンズ１０３、全眼／眼底切り替えレンズユニット１０４、孔あきミラー１０５の孔部、フォーカスレンズ１１７、撮像レンズ１１８を通って撮像素子１１９ａに至る。撮像装置１１９では、撮像素子１１９ａで捉えた前眼部の観察像を光電変換する。光電変換された、連続した静止画像フレームで構成されたデジタル動画像データは、１／６０秒で更新される静止画像フレーム毎に動画像メモリ１２０へ格納される。動画像メモリ１２０へ格納された前眼部観察像は逐次、表示装置１２４に表示される。検者は表示された前眼部表示を見ながら、撮影桿１２８を操作して、上下左右位置及び焦点調整を行う。
【００３４】
図８は本実施の形態の動作全体の流れ図であり、図２における眼底部撮影動作の詳細を示した流れ図である。尚、眼底部の撮影は、前眼／眼底切り替えレンズユニット１０４が『眼底』を選択することで行う。前眼／眼底切り替えレンズユニット１０４が『眼底』を選択することで、赤外フィルター１１５と前眼／眼底切り替えレンズユニット１０４は、光路Ａ軸上を外れる。
【００３５】
検者が撮影桿１２８を操作して、上下左右位置及び焦点調整を行い、眼底部観察像から撮影機会を判定し、撮影釦１２８ａを押すことで眼底部の撮影が行われる。
【００３６】
撮影釦１２８ａを押すことで発光する撮影用ストロボ光源１１３からのストロボ光束は、リングスリット１１０，１１１にて円環状光束となり、孔あきミラー１０５で反射され、対物レンズ１０３を通り、被検眼１０１の眼底を照明する。眼底からの反射像は対物レンズ１０３、孔あきミラー１０５の孔部、フォーカスレンズ１１７、撮像レンズ１１８を通って撮像素子１１９ａに至る。撮像装置１１９では、撮像素子１１９ａで捉えた前眼部の観察像を光電変換する。光電変換された静止画像フレームは、眼底像メモリ１２１へ格納される。図９に示すように、眼底像メモリ１２１へ格納された眼底像は、表示装置１２４に表示（９０１）される。
【００３７】
図１０は本実施の形態の動作全体の流れ図であり、図２における撮影データ記録動作の詳細を示す図である。
【００３８】
検者は、表示装置１２４に表示された眼底像（９０１）が適正か否かを判断し、適正であれば、確認釦（９０２）を選択して撮影データを外部記録装置へ記録する。一般的な外部記録装置には複数の被検者データが記録されている。
｛…Ｒ（ｎ−１），Ｒ（ｎ），Ｒ（ｎ＋１）…｝
外部機器入出力制御装置１２５は、眼底像メモリ装置１２１に格納された眼底像データ９０１を転送すると共に、被検者像メモリ装置１２２に格納された被検者像データ６０２、検者のＩＤ情報６０３、撮影日時データ６０４、撮影装置のＩＤ情報６０５を転送し、外部記録装置にレコード（Ｒ）を追加作成或は更新する。
【００３９】
尚、以上の実施の形態では眼底カメラについて説明したが、ホトスリットランプ等の他の眼科撮影装置でも同様な効果を得ることができる。
【００４０】
【発明の効果】
以上説明したように、本発明による眼科撮影装置は、被検眼の撮影前に、被検者像表示による本人確認が可能である。従って、集団検診においても、被検者の取り違えを防止することができる。
【００４１】
又、被検者像を作成することが可能であることから、被検者像データを持たない磁気カード等によるＩＤ管理においても、本装置により被検者像データが追加されたＩＤ情報管理が可能になる。
【００４２】
更に、被検者像の撮影に際し、眼底像撮影時と異なるパスワード等による認証を行うことで、撮影者管理を実現し、被検者像の信頼性が向上する。
【００４３】
又、眼底像、被検者像に加えた被検者像撮影者、被検者像撮影日時、被検者像撮影装置ＩＤを一元管理することで、より精度の高い医療環境を提案する眼科撮影装置を提供することができる。
【図面の簡単な説明】
【図１】本発明に係る眼科撮影装置の構成図である。
【図２】本発明に係る眼科撮影装置の動作全体の流れ図である。
【図３】被検者ＩＤ情報確認動作の流れ図である。
【図４】被検者ＩＤ情報確認動作を説明する図である。
【図５】被検者像の編集の様子を説明する図である。
【図６】被検者像メモリ装置の概略構造図である。
【図７】前眼部観察動作の流れ図である。
【図８】眼底部撮影動作の流れ図である。
【図９】眼底像メモリへ格納された眼底像を説明する図である。
【図１０】撮影データ記録動作を説明する図である。
【符号の説明】
１００      眼底カメラ
１０１      被検眼
１０２      観察用光源
１０３      対物レンズ
１０４      前眼／眼底切り替えレンズユニット
１０５      孔あきミラー
１０６      角膜バッフル
１０７      リレーレンズ
１０８      水晶体バッフル
１０９      紫外線フィルター
１１０，１１１
リングスリット
１１２      第１コンデンサーレンズ
１１３      撮影用光源
１１４      第２コンデンサーレンズ
１１５      赤外フィルター
１１６      凹面反射鏡
１１７      フォーカスレンズ
１１８      撮像レンズ
１１９      撮像装置
１２０      動画像メモリ装置
１２１      眼底像メモリ装置
１２２      被検者像メモリ装置
１２３      映像信号切り替え装置
１２４      表示装置
１２５      外部機器入出力制御装置
１２６      外部機器
１２７      撮影制御装置
１２８      操作桿
４０１      検者
４０２      被検者
４０３      表示された被検者ＩＤ情報
４０４      表示された被検者像
４０５      表示された確認釦
５０１      被検者像の編集画面
５０２      被検者像の編集画面（拡大・縮小）
５０３      被検者像の編集画面（領域抽出）
５０４      表示された確認釦
６０１      編集された被検者像データ
６０２      被検者のＩＤ情報
６０３      検者のＩＤ情報
６０４      撮影日時データ
６０５      撮影装置のＩＤ
９０１      表示された眼底像
９０２      表示された確認釦
１００１    眼底像メモリ装置内の眼底像データ
１００２    外部記録装置内の被検者ＩＤ
１００３    外部記録装置内の眼底像データ
１００４    外部記録装置内の検者ＩＤ
１００５    外部記録装置内の撮影時データ
１００６    外部記録装置内の撮影機機ＩＤ
１００７    外部記録装置内の被検者像データ
１００８    外部記録装置内のその他のデータ領域
【図１】
2005013473.tif 000003
【図２】
2005013473.tif 000004
【図３】
2005013473.tif 000005
【図４】
2005013473.tif 000006
【図５】
2005013473.tif 000007
【図６】
2005013473.tif 000008
【図７】
2005013473.tif 000009
【図８】
2005013473.tif 000010
【図９】
2005013473.tif 000011
【図１０】
2005013473.tif 000012